(57)【要約】【課題】充電機能付き電子機器の小型化、コストダウンを実現し、充電時と負荷供給時の定電流回路を共用することにより、負荷供給用に別に定電流回路を設ける必要がなくなり、電子部品の削減と実装面積の削減が可能になる。【解決手段】スイッチング制御部のＧＮＤ電位を切り換えるスイッチと、電流検知抵抗の比較電圧を切り換えるスイッチを設け、バッテリーの充電時と負荷への電源供給時の基準ＧＮＤと電流検出ＧＮＤを逆転するように構成する。【選択図】        図１
2006320041.tif 000002
【特許請求の範囲】
【請求項１】
電源の入力状態ではバッテリーの充電若しくは負荷に定電流を供給し、電源の非入力状態では負荷に定電流を供給する充電機能付き電子機器において、
発振制御部のＧＮＤ電位を切り換えるスイッチと、電流検知抵抗の比較電圧を切り換えるスイッチを有し、バッテリーの充電時には発振制御部のＧＮＤを電源のＧＮＤ側に接続し、且つ電流検知抵抗の比較電圧をバッテリーのＧＮＤ側に接続し、
負荷の駆動時には発振制御部のＧＮＤをバッテリーのＧＮＤ側に接続し、且つ電流検知抵抗の比較電圧を電源のＧＮＤ側に接続し、
バッテリー充電用の定電流回路と負荷供給用の定電流回路を共用することを特徴とする充電機能付き電子機器。
【請求項２】
電源の入力状態を検出し、電源入力時にはスイッチをバッテリーの充電に適した状態に自動設定し、電源の非入力時にはスイッチを負荷の駆動に適した状態に自動設定することを特徴とする請求項１に記載の充電機能付き電子機器。
【請求項３】
バッテリーの充電時と、負荷への電力供給時の定電流の制御値を変更することを特徴とする請求項１又は２に記載の充電機能付き電子機器。
【請求項４】
電源がカーバッテリーに接続されることを特徴とする請求項１から３いずれかに記載の充電機能付き電子機器。
【請求項５】
バッテリー充電用の放熱板と、負荷用の放熱板を共用することを特徴とする、請求項１から４いずれかに記載の充電機能付き電子機器。
【発明の詳細な説明】
【技術分野】
【０００１】
本発明は、バッテリーの充電機能を内蔵し、負荷（電子機器）に定電流を供給する充電機能付き電子機器に関する発明である。
【背景技術】
【０００２】
従来、この種の電子機器は、例えばリチウムイオン二次電池を使用したＬＥＤライトのような製品の場合、バッテリーの充電には定電圧／定電流制御を行い、ＬＥＤライトの点灯時には、定電流放電を行うように制御を行う。この場合、充電時には、電源（ＡＣアダプタ等からの直流電源）を定電流制御するための定電流回路と、ＬＥＤを点灯するための定電流回路が独立して設けられていた。
【特許文献１】特開平０７−９９７７５号公報
【特許文献２】特開平０８−２５１８４０号公報
【特許文献３】特開２００４−１４３２９号公報
【発明の開示】
【発明が解決しようとする課題】
【０００３】
近年、電子機器の小型化に伴い、上述のような電子機器においても小型化が要求されるようになってきている。従来の方式では、独立した定電流回路が存在しており、製品の小型化に限界が生じていた。また、コスト的にも高いものになっていた。
【０００４】
本発明はこのような状況のもとでなされたものであり、小型化を達成し、且つ、コストダウンを実現する充電機能付き電子機器を提供することを目的としている。
【課題を解決するための手段】
【０００５】
本発明の第１の構成は、使用者がバッテリーの充電と負荷駆動を切り換え可能なスイッチを設け、充電を選択時にはスイッチングレギュレータ（ＤＣ／ＤＣコンバータ）の発振制御部のＧＮＤを電源入力のＧＮＤ側に接続し、且つ電流検知抵抗の比較電圧をバッテリーのＧＮＤ側に接続し、負荷駆動を選択時には発振制御部のＧＮＤをバッテリーのＧＮＤ側に接続し、且つ電流検知抵抗の比較電圧を電源入力のＧＮＤ側に接続し、バッテリーの充電時と負荷駆動時の発振制御部を共用するように構成する。
【０００６】
本発明の第２の構成は、第１の構成において、電源の入力有無を検出し、電源の入力状態ではバッテリーの充電時の設定を行い、電源の非入力状態では負荷の駆動時の設定を行うように構成する。
【０００７】
本発明の第３の構成は、第１若しくは第２の構成において、定電流の値を変更する手段を設け、バッテリー充電時の定電流の制御値と、負荷駆動時の定電流の制御値を変更するように構成する。
【０００８】
本発明の第４の構成は、第１から第３いずれかの構成において、接続される電源がカーバッテリーに適するように構成する。
【０００９】
本発明の第５の構成は、第１から第４いずれかの構成において、バッテリーの充電時に発生する熱源に接触する放熱板と、負荷の駆動時に発生する熱源に接触する放熱板を共用するように構成する。
【００１０】
なお、さらに説明すれば、本発明の第一の発明について下記のように示す。
【００１１】
（１）電源の入力状態ではバッテリーの充電若しくは負荷に定電流を供給し、電源の非入力状態では負荷に定電流を供給する充電機能付き電子機器において、
発振制御部のＧＮＤ電位を切り換えるスイッチと、電流検知抵抗の比較電圧を切り換えるスイッチを有し、バッテリーの充電時には発振制御部のＧＮＤを電源のＧＮＤ側に接続し、且つ電流検知抵抗の比較電圧をバッテリーのＧＮＤ側に接続し、
負荷の駆動時には発振制御部のＧＮＤをバッテリーのＧＮＤ側に接続し、且つ電流検知抵抗の比較電圧を電源のＧＮＤ側に接続し、
バッテリー充電用の定電流回路と負荷供給用の定電流回路を共用することを特徴とする充電機能付き電子機器。
【発明の効果】
【００１２】
本発明の実施例１によれば、充電と負荷駆動の切り換えスイッチを設け、切り換えスイッチに連動してスイッチング制御ＩＣのＧＮＤと定電流制御の比較入力を切り換える手段を設けることにより、充電時の定電流回路と、負荷駆動時の定電流回路を共用することが可能となり、電子機器の小型化、コストダウンが可能となる。
【００１３】
実施例２によれば、ＤＣ入力の有無を検出し、スイッチング制御ＩＣのＧＮＤと定電流制御の比較入力を自動で切り換えることにより、内部構造の簡素化によるコストダウンが可能となる。
【００１４】
実施例３によれば、バッテリーの充電時と、負荷供給時の定電流値を変更する手段を設けることにより、バッテリーと負荷との組合せが容易となり、更に本発明の応用範囲を広げることが可能になる。
【００１５】
実施例４によれば、専用のプラグコードが接続可能な手段を設けることにより、電源として車載用バッテリーを使用することが可能になる。
【００１６】
実施例５によれば、バッテリー充電用の放熱板と、負荷駆動用の放熱板を共用することにより、内部構造が簡素化し、更なるコストダウンが可能になる。
【発明を実施するための最良の形態】
【００１７】
以下、図面を参照して本発明の好適な実施形態について説明する。
【００１８】
図１は本発明の電子機器の例を示している。１は充電機能付きＬＥＤライト、２はレンズ、３は上部の放熱用通気孔、４は前面の放熱用通気孔、５は台座、６はＤＣ入力、７はモード切り換えスイッチ、８は充電表示、９はバッテリー、１０はバッテリーの＋端子、１１はバッテリーの−端子、１２はＡＣアダプタ、１３はＡＣプラグ、１４はＤＣプラグである。
【００１９】
ＬＥＤライト１は、ＤＣプラグ１４がＤＣ入力６に接続され、ＡＣアダプタ１２からＤＣ入力６に直流電圧が供給されており、切り換えスイッチ７がＯＦＦの状態では、機器内部で定電流／定電圧制御を行い、バッテリー９への充電を行う。充電中には充電表示８が点滅若しくは点灯して、充電中であることを使用者に報知する。
【００２０】
ＤＣプラグ１４が外され、切り換えスイッチ７がＯＮされると、バッテリー９からの電力を用いて定電流制御を行い、白色ＬＥＤに電力が供給され、レンズ２から照射される。
【００２１】
白色ＬＥＤは一般に発光状態で熱を発生するため、前面の放熱用通気孔４及び上部の放熱用通気孔３に通気孔を設け、機器外に熱を逃がす設計となっている。
【００２２】
尚、図１では定電流制御を必要とする負荷の例としてＬＥＤライトで説明を行ったが、定電流制御が必要な負荷であれば、どのような負荷であっても本発明の効果は期待できる。
【実施例１】
【００２３】
図２は本発明の実施例１のブロック図である。図２では図１と同様に、電子機器の例として定電流制御で点灯するＬＥＤライトを用いる。１０１は充電機能付きＬＥＤライト、１０２はＤＣ入力、１０３はＬＥＤライトＯＮ時に充電をＯＦＦするスイッチ、１０４は充電時にＤＣ入力から電力を供給するスイッチ、１０５はＬＥＤ点灯時にバッテリーから電力を供給するスイッチ、１０６はモード切り換えスイッチ、１０７はスイッチング素子（ＦＥＴ）、１０８は整流回路、１０９は発振制御部（スイッチング制御ＩＣ：ＳＷＩＣ）、１１０はＳＷＩＣ１０９内の定電圧制御を行うオペアンプ、１１１はＳＷＩＣ１０９内の定電流制御を行うオペアンプ、１１２はＳＷＩＣ１０９のＶｃｃ、１１３はＳＷＩＣ１０９の制御出力、１１４はＳＷＩＣ１０９の基準電圧出力、１１５はＳＷＩＣ１０９のＧＮＤ、１１６及び１１７は充電時に出力電圧を設定する抵抗器、１１８及び１１９は定電流値を設定する抵抗器、１２０は充電スイッチ回路、１２１は電流検知抵抗、１２２はバッテリーへの＋接点、１２３はバッテリーへの−接点、１２４はレギュレータ、１２５は充電表示（ＬＥＤ）、１２６は充電制御マイコン（ＩＣ）、１２７及び１２９はモード切り換えスイッチ１０６が充電選択時にＯＮするスイッチ、１２８、１３０、１３２はモード切り換えスイッチ１０６がＯＮ選択時にＯＮするスイッチ、１３１は白色ＬＥＤ、１３３はバッテリー、１３４はバッテリーの＋端子、１３５はバッテリーの−端子である。
【００２４】
図２の充電回路はリチウムイオン二次電池の充電用として代表的な定電圧／定電流充電回路で構成されている。
【００２５】
ＤＣ入力１０２に電源が供給され、使用者がスイッチ（ＳＷ）１０６をＯＦＦ／充電側に選択すると充電モードとなる。ＳＷ１０６に連動してＳＷ１０５、１２８、１３０、１３２がＯＦＦし、ＳＷ１０３、１０４、１２７、１２９がＯＮする。
【００２６】
ＳＷ１０３がＯＮすることにより、ＤＣ入力１０２から充電制御マイコン１２６に電源が供給される。ＳＷ１０４がＯＮすることにより、ＤＣ入力１０２からＳＷＩＣ１０９に電源が供給される。ＳＷ１２７がＯＮすることによりＳＷＩＣ１０９のＧＮＤ１１５はＤＣ入力１０２の−側に接続される。ＳＷ１２９がＯＮすることにより電流の比較電圧がバッテリーの−端子側に接続され、充電電流がＳＷＩＣ１０９の定電流制御を行うオペアンプ１１１の比較入力に接続される。
【００２７】
ＳＷＩＣ１０９が起動し、充電制御マイコン１２６がバッテリー１３３の装着を検出すると、充電スイッチ回路１２０がＯＮして充電が開始される。
【００２８】
充電時の出力電圧は抵抗器１１６、１１７によって設定され、バッテリーの充電電圧に制御される。また、充電電流は電流検知抵抗１２１の両端に発生する電圧に変換され、定電流値は抵抗器１１８、１１９によって設定される。充電中は充電表示１２５により表示され、充電電圧の上昇と充電電流の低下を検出して充電が終了となる。
【００２９】
ＤＣ入力１０２に電力が供給されておらず、使用者がＳＷ１０６をＯＮ側に選択するとライト点灯モードとなる。ＳＷ１０６に連動してＳＷ１０３、１０４、１２７、１２９がＯＦＦし、ＳＷ１０５、１２８、１３０、１３２がＯＮする。
【００３０】
ＳＷ１０５がＯＮすることにより、バッテリー１３３からＳＷＩＣ１０９に電源が供給される。ＳＷ１２８がＯＮすることによりＳＷＩＣ１０９のＧＮＤ１１５はバッテリーの−端子側に接続される。ＳＷ１３０がＯＮすることにより、ＤＣ入力１０２の−側がＳＷＩＣ１０９の定電流制御を行うオペアンプ１１１の比較入力に接続される。
【００３１】
ＳＷ１３２がＯＮすることによりバッテリー１３３から白色ＬＥＤ１３１を点灯する電流経路が閉じ、白色ＬＥＤ１３１の定電流点灯が開始される。
【００３２】
尚、図１及び図２では、電子機器に対して別体のＡＣアダプタを接続する構成について述べたが、電子機器にＡＣ電源を内蔵する構成でも同様の効果が期待できる。
【００３３】
また、図２では本発明の説明に必要のない一般的な回路構成については割愛した。
【００３４】
図３は本発明の実施例１のフローチャートである。Ｓ（ステップ）１０１はスタート、Ｓ１０２はＤＣ入力有無分岐、Ｓ１０３及びＳ１２０はＳＷ１０６の選択分岐、Ｓ１０４及びＳ１２５はＳＷ１０５、ＳＷ１２８、ＳＷ１３０、ＳＷ１３２のＯＦＦ、Ｓ１０５及びＳ１２６はＳＷ１０３、ＳＷ１０４、ＳＷ１２７、ＳＷ１２９のＯＮ、Ｓ１０６は充電制御マイコン１２６の起動、Ｓ１０７、Ｓ１１７及びＳ１２７は白色ＬＥＤ１３１の消灯、Ｓ１０８及びＳ１２３はＳＷＩＣ１０９の起動、Ｓ１０９はバッテリー１３３の検出分岐、Ｓ１１０は充電表示１２５の点灯、Ｓ１１１はバッテリー１３３の定電圧／定電流充電の開始、Ｓ１１２はバッテリー１３３の充電完了分岐、Ｓ１１３は充電完了表示、Ｓ１１４及びＳ１１９は充電表示１２５の消灯、Ｓ１１５及びＳ１２１はＳＷ１０３、ＳＷ１０４、ＳＷ１２７、ＳＷ１２９のＯＦＦ、Ｓ１１６及びＳ１２２はＳＷ１０５、ＳＷ１２８、ＳＷ１３０、ＳＷ１３２のＯＮ、Ｓ１１８は充電制御マイコン１２６の停止、Ｓ１２４は白色ＬＥＤ１３１の定電流点灯の開始である。
【００３５】
Ｓ１０２でＤＣ入力がある場合、Ｓ１０３に移行する。ＳＷ１０６が充電を選択されるとＳ１０４に移行し、ＳＷ１０５／１２８／１３０／１３２がＯＦＦとなる。またＳ１０５でＳＷ１０３／１０４／１２７／１２９がＯＮして、ＳＷＩＣ１０９のＧＮＤ１１５がＤＣ入力１０２の−側に接続される。またバッテリー１３３の充電電流の比較電圧がＳＷＩＣ１０９の定電流制御を行うオペアンプ１１１の比較入力に接続される。またＳ１０７で白色ＬＥＤ１３１の消灯条件が設定される。またＳ１０８でＳＷＩＣ１０９が起動され、二次側出力がバッテリー１３３の充電電圧と充電電流に制御される。Ｓ１０９でバッテリー１３３が検出されるとＳ１１０に移行し、充電表示１２５が点灯する。その後Ｓ１１１でバッテリー１３３の定電圧／定電流充電が開始され、Ｓ１２２でバッテリー１３３の充電完了が検出されるまで充電は継続される。Ｓ１１２でバッテリー１３３が充電完了検出されると、Ｓ１１３に移行し、充電完了表示が行われる。
【００３６】
Ｓ１０３でＳＷ１０４がＯＮ側に選択されるとＳ１１４に移行し、充電表示１２５が消灯となる。Ｓ１１５ではＳＷ１０３／１０４／１２７／１２９がＯＦＦし、Ｓ１１６ではＳＷ１０５／１２８／１３０／１３２がＯＮする。Ｓ１１７で白色ＬＥＤ１３１が消灯条件となる。
【００３７】
Ｓ１０２でＤＣ入力がない場合、Ｓ１１８に移行し、充電制御マイコン１２６が停止条件となる。Ｓ１１９では充電表示１２５が消灯条件となる。Ｓ１２０でＳＷ１０６がＯＮを選択されるとＳ１２１に移行し、ＳＷ１０３／１０４／１２７／１２９がＯＦＦとなる。またＳ１２２でＳＷ１０５／１２８／１３０／１３２がＯＮして、ＳＷＩＣ１０９のＧＮＤ１１５がバッテリー１３３の−端子側に接続される。また白色ＬＥＤ１３１の点灯電流の比較電圧がＳＷＩＣ１０９の定電流制御を行うオペアンプ１１１の比較入力に接続される。Ｓ１２３でＳＷＩＣ１０９が起動し、Ｓ１２４で白色ＬＥＤ１３１の定電流点灯が開始される。
【００３８】
Ｓ１２０でＳＷ１０６がＯＦＦを選択されるとＳ１２５に移行し、ＳＷ１０５／１２８／１３０／１３２がＯＦＦする。Ｓ１２６ではＳＷ１０３／１０４／１２７／１２９がＯＮとなる。Ｓ１２７で白色ＬＥＤ１３１が消灯条件となる。
【実施例２】
【００３９】
図４は実施例２のブロック図である。２０１から２３５については、実施例１の１０１から１３５と同様なので説明は省略する。２４０は逆流防止ダイオード、２４２、２４４、２４７はＤＣ入力がある場合にＯＮするスイッチ（ＦＥＴ等）、２４１、２４５、２４６、２４８はＤＣ入力がない場合にＯＮするスイッチ、２４３はＯＮ／ＯＦＦ切り換えスイッチである。各スイッチの役割、動作原理については実施例１のスイッチと類似するため省略する。
【００４０】
図５は実施例２のフローチャートである。Ｓ２０１はスタート、Ｓ２０２はＤＣ入力検出分岐、Ｓ２０３はＳＷ２４１、ＳＷ２４５、ＳＷ２４６、ＳＷ２４８のＯＦＦ、Ｓ２０４はＳＷ２４２、ＳＷ２４４、ＳＷ２４７のＯＮ、Ｓ２０５は充電制御マイコン２２６の起動、Ｓ２０６及びＳ２２１は白色ＬＥＤ２３１の消灯、Ｓ２０７及びＳ２１８はＳＷＩＣ２０９の起動、Ｓ２０８はバッテリー２３３の検出分岐、Ｓ２０９は充電表示２２５の点灯、Ｓ２１０はバッテリー２３３の定電圧／定電流充電の開始、Ｓ２１１はバッテリー２３３の充電完了分岐、Ｓ２１２は充電完了表示、Ｓ２１３はＳＷ２４２、ＳＷ２４４、ＳＷ２４７のＯＦＦ、Ｓ２１４はＳＷ２４１、ＳＷ２４５、ＳＷ２４６、ＳＷ２４８のＯＮ、Ｓ２１５は充電制御マイコン２２６の停止、Ｓ２１６は充電表示２２５の消灯、Ｓ２１７はＳＷ２４３の選択分岐、Ｓ２１９は白色ＬＥＤ２３１の定電流点灯開始、Ｓ２２０はＳＷＩＣ２０９の停止である。
【００４１】
実施例２では、ＤＣ入力がある場合にバッテリーが装着されると無条件で充電を行う制御について説明を行ったが、充電制御マイコンがＯＮ／ＯＦＦ切り換えスイッチ２４３の状態を検出する手段を設け、使用者のスイッチ操作により充電を行うシステムにしても良い。
【実施例３】
【００４２】
図６は実施例３のブロック図である。３０１から３４８については、実施例２の２０１から２４８と同様なので説明は省略する。３５０はＤＣ入力がある場合にＯＮするスイッチ（ＦＥＴ等）、３５１は充電時に定電流の制御値を変更する抵抗器である。
【００４３】
図７は実施例３のフローチャートである。Ｓ３０１はスタート、Ｓ３０２はＤＣ入力検出分岐、Ｓ３０３はＳＷ３４１、ＳＷ３４５、ＳＷ３４６、ＳＷ３４８のＯＦＦ、Ｓ３０４はＳＷ３４２、ＳＷ３４４、ＳＷ３４７、ＳＷ３５０のＯＮ、Ｓ３０５は充電制御マイコン３２６の起動、Ｓ３０６は白色ＬＥＤ３３１の消灯、Ｓ３０７はＳＷＩＣ３０９の起動、Ｓ３０８は定電流の制御値を充電電流値に設定、Ｓ３０９はバッテリー３３３の検出分岐、Ｓ３１０は充電表示３２５の点灯、Ｓ３１１はバッテリー３３３の定電圧／定電流充電の開始、Ｓ３１２はバッテリー３３３の充電完了分岐、Ｓ３１３は充電完了表示、Ｓ３１４はＳＷ３４２、ＳＷ３４４、ＳＷ３４７、ＳＷ３５０のＯＦＦ、Ｓ３１５はＳＷ３４１、ＳＷ３４５、ＳＷ３４６、ＳＷ３４８のＯＮ、Ｓ３１６は充電制御マイコン３２６の停止、Ｓ３１７は充電表示３２５の消灯、Ｓ３１８は定電流の制御値を白色ＬＥＤ３３１の発光電流値に設定、Ｓ３１９はＳＷ３４３の選択分岐、Ｓ３２０はＳＷＩＣ３０９の起動、Ｓ３２１は白色ＬＥＤ３３１の定電流点灯開始、Ｓ３２２はＳＷＩＣ３０９の停止、Ｓ３２３は白色ＬＥＤ３３１の消灯である。
【実施例４】
【００４４】
図８は実施例４のシステム図である。４０１は充電機能付きＬＥＤライト、４０２はレンズ、４０３は上部の放熱用通気孔、４０４は前面の放熱用通気孔、４０５は台座、４０６はＤＣ入力、４０７はモード切り換えスイッチ、４０８は充電表示、４０９はバッテリー、４１０はバッテリーの＋端子、４１１はバッテリーの−端子、４１２はシガレットプラグ、４１３はシガレットプラグ４１１の＋端子、４１４はシガレットプラグ４１１の−端子、４１５はＤＣプラグである。
【００４５】
実施例４の構成では、車載用の１２Ｖ／２４Ｖ電源からシガレットプラグ４１２、ＤＣプラグ４１５を介して、ＤＣ入力部４０６に電源が供給される。その他の構成については、図１と共通である。
【実施例５】
【００４６】
図９は実施例５の充電機能付きＬＥＤライトの構造図である。５０１はレンズ、５０２は白色ＬＥＤ、５０３は白色ＬＥＤ５０２のカソード、５０４は白色ＬＥＤ５０２のアノード、５０５は白色ＬＥＤ５０２のヒートシンク、５０６、５０７、５２０はビス、５０８はＬＥＤ基板、５０９、５１０はＬＥＤ基板５０８のビス孔、５１１、５２１はコネクタ、５１２はヒートシンク、５１３、５１４はヒートシンク５１２のビス孔、５１５は電源基板、５１６はＤＣ入力、５１７はモード切り換えスイッチ、５１８は充電表示（ＬＥＤ）、５１９はスイッチング素子（ＦＥＴ）、５２２はバッテリーへの＋接点、５２３はバッテリーへの−接点である。白色ＬＥＤ５０２はＬＥＤ基板５０８に実装され、ヒートシンク５１２にビス固定される。ＬＥＤ基板のコネクタ５１１は電源基板５１５のコネクタ５２０に接続される。スイッチング素子５１９はヒートシンク５１２にビス固定される。充電時にはスイッチング素子５１９が発熱するため、ヒートシンク５１２に熱を分散する。また白色ＬＥＤ５０２発光時には、スイッチング素子５１９及び白色ＬＥＤ５０２が発熱する。スイッチング素子５１９の熱をヒートシンク５１２に分散すると共に白色ＬＥＤ５０２の熱をＬＥＤ基板５０８を介してヒートシンク５１２に分散する。
【００４７】
図９では実施例５の説明に必要のない構成部品については省略した。
【図面の簡単な説明】
【００４８】
【図１】本発明の電子機器の例を示す図
【図２】実施例１のブロック図
【図３】実施例１のフローチャート
【図４】実施例２のブロック図
【図５】実施例２のフローチャート
【図６】実施例３のブロック図
【図７】実施例３のフローチャート
【図８】実施例４のシステム図
【図９】実施例５の充電機能付きＬＥＤライトの構造図
【符号の説明】
【００４９】
１、１０１、２０１、３０１、４０１  充電機能付きＬＥＤライト
２、４０２、５０１  レンズ
３、４０３  上部の放熱用通気孔
４、４０４  前面の放熱用通気孔
５、４０５  台座
６、１０２、２０２、３０２、４０６、５１６  ＤＣ入力
７、１０６、４０７、５１７  モード切り換えスイッチ
８、１２５、２２５、３２５、４０８、５１８  充電表示
９、１３３、２３３、３３３、４０９  バッテリー
１０、１３４、２３４、３３４、４１０  バッテリーの＋端子
１１、１３５、２３５、３３５、４１１  バッテリーの−端子
１２  ＡＣアダプタ
１３  ＡＣプラグ
１４、４１５  ＤＣプラグ
１０３  ＬＥＤライトＯＮ時に充電をＯＦＦするスイッチ
１０４  充電時にＤＣ入力から電力を供給するスイッチ
１０５  バッテリーから電力を供給するスイッチ
１０７、２０７、３０７、５１９  スイッチング素子
１０８、２０８、３０８  整流回路
１０９、２０９、３０９  発振制御部（スイッチング制御ＩＣ：ＳＷＩＣ）
１１０、２１０、３１０  定電圧制御を行うオペアンプ
１１１、２１１、３１１  定電流制御を行うオペアンプ
１１２、２１２、３１２  Ｖｃｃ
１１３、２１３、３１３  制御出力
１１４、２１４、３１４  基準電圧出力
１１５、２１５、３１５  ＧＮＤ
１１６、１１７、２１６、２１７、３１６、３１７  充電時に出力電圧を設定する抵抗器
１１８、１１９、２１８、２１９、３１８、３１９  定電流値を設定する抵抗器
１２０、２２０、３２０  充電スイッチ回路
１２１、２２１、３２１  電流検知抵抗
１２２、２２２、３２２、５２２  バッテリーへの＋接点
１２３、２２３、３２３、５２３  バッテリーへの−接点
１２４、２２４、３２４  レギュレータ
１２６、２２６、３２６  充電制御マイコン（ＩＣ）
１２７、１２９  充電選択時にＯＮするスイッチ
１２８、１３０、１３２  ＯＮ選択時にＯＮするスイッチ
１３１、２３１、３３１、５０２  白色ＬＥＤ
２４０、３４０  逆流防止ダイオード
２４２、２４４、２４７、３４２、３４４、３４７、３５０  ＤＣ入力がある場合にＯＮするスイッチ
２４１、２４５、２４６、２４８、３４１、３４５、３４６、３４８  ＤＣ入力がない場合にＯＮするスイッチ
２４３、３４３  ＯＮ／ＯＦＦ切り換えスイッチ
３５１  充電時に定電流の制御値を変更する抵抗器
４１２  シガレットプラグ
４１３  シガレットプラグ４１１の＋端子
４１４  シガレットプラグ４１１の−端子
５０３  白色ＬＥＤ５０２のカソード
５０４  白色ＬＥＤ５０２のアノード
５０５  白色ＬＥＤ５０２のヒートシンク
５０６、５０７、５２０  ビス
５０８  ＬＥＤ基板
５０９、５１０  ＬＥＤ基板５０８のビス孔
５１１、５２１  コネクタ
５１２  ヒートシンク
５１３、５１４  ヒートシンク５１２のビス孔
５１５  電源基板
Ｓ（ステップ）１０１、Ｓ２０１、Ｓ３０１  ＳＴＡＲＴ
Ｓ１０２  ＤＣ入力有無分岐
Ｓ１０３、Ｓ１２０  ＳＷ１０６の選択分岐
Ｓ１０４、Ｓ１２５  ＳＷ１０５／１２８／１３０／１３２のＯＦＦ
Ｓ１０５、Ｓ１２６  ＳＷ１０３／１０４／１２７／１２９のＯＮ
Ｓ１０６  充電制御マイコン１２６の起動
Ｓ１０７、Ｓ１１７、Ｓ１２７  白色ＬＥＤ１３１の消灯
Ｓ１０８、Ｓ１２３  スイッチング制御ＩＣ１０９の起動
Ｓ１０９  バッテリー１３３の検出分岐
Ｓ１１０  充電表示１２５の点灯
Ｓ１１１  バッテリー１３３の定電圧／定電流充電の開始
Ｓ１１２  バッテリー１３３の充電完了分岐
Ｓ１１３、Ｓ２１２、Ｓ３１３  充電完了表示
Ｓ１１４、Ｓ１１９  充電表示１２５の消灯
Ｓ１１５、Ｓ１２１  ＳＷ１０３／１０４／１２７／１２９のＯＦＦ
Ｓ１１６、Ｓ１２２  ＳＷ１０５／１２８／１３０／１３２のＯＮ
Ｓ１１８  充電制御マイコン１２６の停止
Ｓ１２４  白色ＬＥＤ１３１の定電流点灯の開始
Ｓ２０２、Ｓ３０２  ＤＣ入力検出分岐
Ｓ２０３  ＳＷ２４１／２４５／２４６／２４８のＯＦＦ
Ｓ２０４  ＳＷ２４２／２４４／２４７のＯＮ
Ｓ２０５  充電制御マイコン２２６の起動
Ｓ２０６、Ｓ２２１  白色ＬＥＤ２３１の消灯
Ｓ２０７、Ｓ２１８  スイッチング制御ＩＣ２０９の起動
Ｓ２０８  バッテリー２３３の検出分岐
Ｓ２０９  充電表示２２５の点灯
Ｓ２１０  バッテリー２３３の定電圧／定電流充電の開始
Ｓ２１１  バッテリー２３３の充電完了分岐
Ｓ２１３  ＳＷ２４２／２４４／２４７のＯＦＦ
Ｓ２１４  ＳＷ２４１／２４５／２４６／２４８のＯＮ
Ｓ２１５  充電制御マイコン２２６の停止
Ｓ２１６  充電表示２２５の消灯
Ｓ２１７  ＳＷ２４３の選択分岐
Ｓ２１９  白色ＬＥＤ２３１の定電流点灯開始
Ｓ２２０  スイッチング制御ＩＣ２０９の停止
Ｓ３０３  ＳＷ３４１／３４５／３４６／３４８のＯＦＦ
Ｓ３０４  ＳＷ３４２／３４４／３４７／３５０のＯＮ
Ｓ３０５  充電制御マイコン３２６の起動
Ｓ３０６、Ｓ３２３  白色ＬＥＤ３３１の消灯
Ｓ３０７、Ｓ３２０  スイッチング制御ＩＣ３０９の起動
Ｓ３０８  定電流制御値を充電電流値に設定
Ｓ３０９  バッテリー３３３の検出分岐
Ｓ３１０  充電表示３２５の点灯
Ｓ３１１  バッテリー３３３の定電圧／定電流充電の開始
Ｓ３１２  バッテリー３３３の充電完了分岐
Ｓ３１４  ＳＷ３４２／３４４／３４７／３５０のＯＦＦ
Ｓ３１５  ＳＷ３４１／３４５／３４６／３４８のＯＮ
Ｓ３１６  充電制御マイコン３２６の停止
Ｓ３１７  充電表示３２５の消灯
Ｓ３１８  定電流制御値をライト電流値に設定
Ｓ３１９  ＳＷ３４３の選択分岐
Ｓ３２１  白色ＬＥＤ３３１の定電流点灯開始
Ｓ３２２  スイッチング制御ＩＣ３０９の停止
【図２】
2006320041.tif 000003
【図３】
2006320041.tif 000004
【図４】
2006320041.tif 000005
【図５】
2006320041.tif 000006
【図６】
2006320041.tif 000007
【図７】
2006320041.tif 000008
【図１】
2006320041.tif 000009
【図８】
2006320041.tif 000010
【図９】
2006320041.tif 000011